(57)【要約】      （修正有）【課題】長尺被処理物をキャプスタンプーリ群に巻き掛けて走行させつつ該長尺被処理物に電子線を照射する電子線照射装置であって、被処理物が断絶した場合に、該部分がキャプスタンプーリ群から外れたり、その外れに伴って電子線照射装置本体を損傷したりすることを抑制できる電子線照射装置を提供する。【解決手段】キャプスタンプーリ３１、３２に巻き掛けられて走行する長尺被処理物Ｗが断絶すると該断絶を検出する検出装置Ｓ１、Ｓ２と、該プーリ群へ進入しようとする、また、該プーリ群から出てくる被処理物部分を掴持するための上流側掴持装置５ａ及び下流側掴持装置５ｂと、検出装置Ｓ１及び（又は）Ｓ２による被処理物Ｗの断絶検出に基づいて、掴持装置５ａ、５ｂがプーリ３１、３２へ進入しようとする、さらには該プーリ群から出てくる被処理物部分を掴持するように、掴持装置５ａ、５ｂを制御する制御部７とを備えている電子線照射装置１０。【選択図】図１
2006179434.tif 000002
【特許請求の範囲】
【請求項１】
電子線照射装置本体を付設した電子線照射室と、該電子線照射室内に設置したキャプスタン装置とを備え、該キャプスタン装置のキャプスタンプーリ群に長尺被処理物を巻き掛けて走行させつつ該長尺被処理物に前記電子線照射装置本体から電子線を照射する電子線照射装置であり、該キャプスタンプーリ群に巻き掛けられて走行する長尺被処理物が断絶すると該断絶を検出する検出装置と、該キャプスタンプーリ群へ進入しようとする長尺被処理物部分を掴持するための上流側掴持装置と、前記検出装置による長尺被処理物の断絶検出に基づいて、該上流側掴持装置が、該キャプスタンプーリ群へ進入しようとする長尺被処理物部分を掴持するように、該上流側掴持装置を制御する制御部とを備えていることを特徴とする電子線照射装置。
【請求項２】
前記キャプスタンプーリ群から出てくる長尺被処理物部分を掴持するための下流側掴持装置が設けられており、前記制御部は、前記検出装置による長尺被処理物の断絶検出に基づいて、該下流側掴持装置が、該キャプスタンプーリ群から出てくる長尺被処理物部分を掴持するように、該下流側掴持装置も制御する請求項１記載の電子線照射装置。
【請求項３】
前記検出装置は、前記キャプスタンプーリ群に巻き掛けられて走行する長尺被処理物のテンションを監視し、該テンションが該長尺被処理物の断絶により低下すると、該テンション低下を検出することで該長尺被処理物の断絶を検出するものである請求項１又は２記載の電子線照射装置。
【請求項４】
前記掴持装置は、前記長尺被処理物を間にして互いに対向配置された対挟持部材と、該対挟持部材を長尺被処理物を挟持する位置又は長尺被処理物を放す位置におくように該対挟持部材のうち少なくとも一つを駆動する、流体圧駆動ピストンシリンダ装置と、該ピストンシリンダ装置に接続された流体方向制御弁とを含んでおり、該対挟持部材及びピストンシリンダ装置は前記電子線照射室内に設置されており、前記制御部は、該方向制御弁を制御することで、前記対挟持部を長尺被処理物を挟持する位置又は長尺被処理物を放す位置におく請求項１、２又は３記載の電子線照射装置。
【請求項５】
電子線照射装置本体を付設した電子線照射室と、該電子線照射室内に設置したキャプスタン装置とを備え、該キャプスタン装置のキャプスタンプーリ群に長尺被処理物を巻き掛けて走行させつつ該長尺被処理物に前記電子線照射装置本体から電子線を照射する電子線照射装置であり、該キャプスタンプーリ群に巻き掛けられて走行する長尺被処理物が断絶すると該断絶を検出する検出装置と、該キャプスタンプーリ群における少なくとも一つのキャプスタンプーリの制動装置と、前記検出装置による長尺被処理物の断絶検出に基づいて、該制動装置が該キャプスタンプーリの回転を停止させるように、該制動装置を制御する制御部とを備えていることを特徴とする電子線照射装置。
【請求項６】
前記検出装置は、前記キャプスタンプーリ群に巻き掛けられて走行する長尺被処理物のテンションを監視し、該テンションが該長尺被処理物の断絶により低下すると、該テンション低下を検出することで該長尺被処理物の断絶を検出するものである請求項５記載の電子線照射装置。
【請求項７】
前記制動装置は、キャプスタンプーリに圧接離反可能に配置された制動部材と、該制動部材を駆動する流体圧駆動ピストンシリンダ装置と、該ピストンシリンダ装置に接続された流体方向制御弁とを含んでおり、該制動部材及びピストンシリンダ装置は前記電子線照射室内に設置されており、前記制御部は、該方向制御弁を制御することで、前記制動部材を前記キャプスタンプーリへの圧接位置又は該キャプスタンプーリから離反する位置におく請求項５又は６記載の電子線照射装置。
【発明の詳細な説明】
【技術分野】
【０００１】
本発明は電子線照射装置、特に、例えば合成樹脂等で被覆した電線のような長尺被処理物をキャプスタンプーリ群に巻き掛けて走行させつつ該長尺被処理物に電子線を照射する電子線照射装置に関する。
【背景技術】
【０００２】
電子線照射装置は、電線被覆材料、各種チューブ（電線ジョイント部のカバー等に用いるチューブ等）などの高分子材料を電子線照射により架橋させて該被覆材料やチューブ類等の特性、例えば耐熱性、熱収縮性などを向上させることや、塗膜等のキュアリング、医療品の殺菌等に使用されている。
【０００３】
これら被照射物のうちチューブ類や、被覆材料で被覆された電線などの長尺被処理物に電子線を照射する場合、それらの表面各部にできるだけ均一に電子線を照射するために、例えば特開２００３−１５７７３６号公報に記載されているような、キャプスタンと称されている巻き掛け装置が広く採用されている。
【０００４】
図６に、長尺被処理物に電子線を照射する、キャプスタン装置を採用した電子線照射装置の１例を示す。この装置１００は、電子線照射装置本体１を設けた電子線照射室２、照射室２内に設置したキャプスタン装置３を備えている。
【０００５】
キャプスタン装置３は、一対の対向配置されたキャプスタンプーリ３１、３２を備えており、これらは、プーリ支持台３００に立設されたアーム３０１に回転可能に支持されている。さらに言えば、プーリ３１は一方向クラッチ３１２を介してアーム３０１に、図中、時計方向回転可能に支持されており、プーリ３２は一方向クラッチ３２２を介してアーム３０１に、図中、反時計方向回転可能に支持されている。
【０００６】
一方向クラッチ３１２、３２２のそれぞれは、図面には詳細を示していないが、それ自体既に知られているものであり、内輪と、外輪と、内外輪間に装備された一方向クラッチ機構とを含むものであり、プーリ３１、３２は外輪に取り付けられている。
【０００７】
クラッチ３１２の内輪を支持台３００に設けたモータＭ１で巻き掛け伝動装置３１１を介して図中時計方向に回転駆動することで、プーリ３１を同方向に回転駆動することができる。また、内輪に対し外輪を、従ってそれに取り付けられたプーリ３１を相対的に時計方向に回転させることもできる。
【０００８】
同様に、クラッチ３２２の内輪を支持台３００に設けたモータＭ２で巻き掛け伝動装置３２１を介して図中反時計方向に回転駆動することで、プーリ３２を同方向に回転駆動することができる。また、内輪に対し外輪を、従ってそれに取り付けられたプーリ３２を相対的に反時計方向に回転させることもできる。
【０００９】
支持台３００にはガイドローラ４が搭載されており、また、照射室２の長尺被処理物Ｗを通す開口２１を間にして室内外にガイドローラ６１、６２も設けられている。
【００１０】
電子線照射装置本体１は、電子線照射窓箔を張設した電子線照射窓１１を備えており、照射窓１１は照射室２内に配置されている。電子線照射窓１１の下方が電子線照射領域Ａとなっており、該領域Ａはプーリ３１、３２間に臨んでいる。
【００１１】
この電子線照射装置１００によると、次のようにして長尺被処理物Ｗに電子線照射処理を施せる。
当初、長尺被処理物Ｗを、図示省略の長尺被処理物繰り出し装置から引き出し、図６、図７に示すように、照射室２の開口２１の前後にあるガイドローラ６１、６２に案内させて該開口２１から照射室２内へ導き、さらにガイドローラ４に案内させつつ、キャプスタンプーリ３１の下方に潜らせ、次いでキャプスタンプーリ３２に上面側から下面側へ巻き掛け、さらに、キャプスタンプーリ３１の方へ戻し、その上面側から下面側へ巻き掛け、このようにして、プーリ３１、３２間に複数回往復巻き掛けし、そのあと、再びガイドローラ４に案内させて照射室開口２１の方へ導き、ガイドローラ６１、６２に案内させて照射室２外へ導き出す。開口２１から導出した長尺被処理物Ｗは図示を省略した巻き取り装置に連結する。
【００１２】
なお、プーリ３１、３２のそれぞれの表周面には、図６、図７には示していないが、長尺被処理物Ｗを嵌めて案内する螺旋溝等が周設されおり、被処理物Ｗはこの溝に嵌められてプーリ３１、３２間に巻き掛けられることで、プーリ上での位置ずれが防止される。
【００１３】
キャプスタンプーリ３１、３２への被処理物Ｗの巻き掛け作業の間、モータＭ１、Ｍ２はオフ状態にあり、プーリ３１、３２は回転駆動されないが、前記一方向クラッチ３１２、３２２の作用で、プーリ３１については図中時計方向回りに、プーリ３２については反時計方向回りに、手動回転させることができるので、プーリ３１、３２への被処理物Ｗの巻き掛け作業に支障はない。
【００１４】
このようにキャプスタンプーリ群への被処理物Ｗの巻き掛け作業が終了すると、図示省略の繰り出し装置及び図示省略の巻き取り装置をそれぞれ運転するとともに、照射室２内においては、長尺被処理物Ｗに不要なテンションが発生しないように、モータＭ１、Ｍ２にてプーリ３１、３２を、被処理物Ｗの所定の走行速度に見合った速さで回転駆動する。      
【００１５】
この状態で、プーリ３１、３２に巻き掛けられた長尺被処理物Ｗの部分に電子線照射装置本体１にて電子線照射処理を施せる。長尺被処理物Ｗはプーリ３１、３２間に複数回往復巻き掛けされて走行するので、それだけ、被処理物Ｗ表面の各部に均一に電子線を照射することができる。
【００１６】
かかる電子線照射処理においては、長尺被処理物Ｗが断絶する（切れる）ことがあり得るが、その場合は、通常、モータＭ１、Ｍ２はオフされ、該モータによるキャプスタンプーリ３１、３２の駆動は解除されるとともに、電子線照射装置本体１も停止される。
【００１７】
【特許文献１】特開２００３−１５７７３６号公報
【発明の開示】
【発明が解決しようとする課題】
【００１８】
しかしながら、長尺被処理物Ｗが断絶する（切れる）と、特に、キャプスタンプーリ群へ進入していく長尺被処理物Ｗの部分が断絶すると、たとえその断絶が検出され、モータＭ１、Ｍ２が直ちにオフされたとしても、プーリ３１、３２は、前記の一方向クラッチ３１２、３２２の作用で、被処理物Ｗを走行させる方向に自由に回転することができ、実際、モータＭ１、Ｍ２が直ちにオフされたとしても、瞬時には停止せず、惰性である程度回り続ける。そのため、プーリ３１、３２に巻き掛けられていた長尺被処理物Ｗの部分が引き続き走行し、長尺被処理物Ｗがキャプスタンプーリ群から外れてしまう。
【００１９】
そうなると、長尺被処理物Ｗをもう一度キャプスタンプーリ群に巻き掛ける作業が必要となり、その作業は手間のかかるものであるから、被処理物の生産性が低下する。
また、プーリ３１、３２の惰性回転に伴う長尺被処理物Ｗの走行の結果、長尺被処理物Ｗの切断端部が跳ねて、電子線照射装置本体１の重要な部分である電子線照射窓１１、特にその窓箔を損傷してしまうことがある。
【００２０】
そこで本発明は、長尺被処理物をキャプスタンプーリ群に巻き掛けて走行させつつ該長尺被処理物に電子線を照射する電子線照射装置であって、キャプスタンプーリ群に巻き掛けられて走行する長尺被処理物が断絶した場合に、なかでも特に該キャプスタンプーリ群へ向け進行していく長尺被処理物部分が断絶した場合には、該キャプスタンプーリ群に巻き掛けられた長尺被処理物部分の走行を直ちに停止させ、該部分がキャプスタンプーリ群から外れたり、また、その外れに伴って被処理物切断端部等が電子線照射装置本体を損傷したりすることを抑制できる電子線照射装置を提供することを課題とする。
【課題を解決するための手段】
【００２１】
かかる課題を解決するため、本発明は、次の第１、第２の電子線照射装置を提供する。（１）第１の電子線照射装置
電子線照射装置本体を付設した電子線照射室と、該電子線照射室内に設置したキャプスタン装置とを備え、該キャプスタン装置のキャプスタンプーリ群に長尺被処理物を巻き掛けて走行させつつ該長尺被処理物に前記電子線照射装置本体から電子線を照射する電子線照射装置であり、該キャプスタンプーリ群に巻き掛けられて走行する長尺被処理物が断絶すると該断絶を検出する検出装置と、該キャプスタンプーリ群へ進入しようとする長尺被処理物部分を掴持するための上流側掴持装置と、前記検出装置による長尺被処理物の断絶検出に基づいて、該上流側掴持装置が、該キャプスタンプーリ群へ進入しようとする長尺被処理物部分を掴持するように、該上流側掴持装置を制御する制御部とを備えている電子線照射装置。
【００２２】
（２）第２の電子線照射装置
電子線照射装置本体を付設した電子線照射室と、該電子線照射室内に設置したキャプスタン装置とを備え、該キャプスタン装置のキャプスタンプーリ群に長尺被処理物を巻き掛けて走行させつつ該長尺被処理物に前記電子線照射装置本体から電子線を照射する電子線照射装置であり、該キャプスタンプーリ群に巻き掛けられて走行する長尺被処理物が断絶すると該断絶を検出する検出装置と、該キャプスタンプーリ群における少なくとも一つのキャプスタンプーリの制動装置と、前記検出装置による長尺被処理物の断絶検出に基づいて、該制動装置が、該キャプスタンプーリの回転を停止させるように、該制動装置を制御する制御部とを備えている電子線照射装置。
【００２３】
＜第１の電子線照射装置について＞
第１の電子線照射装置によると、キャプスタンプーリ群に巻き掛けられて走行する長尺被処理物が断絶しても（切れても）、さらに言えば、キャプスタンプーリ群へ進行していく長尺被処理物の部分、或いはキャプスタンプーリ群から出て進行する長尺被処理物の部分、なかでも特に、キャプスタンプーリ群へ進行していく長尺被処理物の部分が何らかの原因により断絶しても（切れても）、該断絶が断絶検出装置により検出されることで、上流側掴持装置が、制御部の指示のもとに直ちに、キャプスタンプーリ群へ進入しようとする長尺被処理物部分を掴持する。
【００２４】
従って、たとえ、キャプスタンプーリのモータ駆動がオフされ、しかし惰性でなおキャプスタンプーリが回ろうとすることがあっても、キャプスタンプーリ群に巻き掛けられていた長尺被処理物部分が、キャプスタンプーリ群から外れてしまうことは抑制される。
【００２５】
このように、長尺被処理物が断絶してもキャプスタンプーリ群に巻き掛けられた被処理物部分はそのままの状態が維持されるので、キャプスタンプーリ群への長尺被処理物の巻き掛け直しという手間のかかる作業が不要となり、断絶した長尺被処理物をつなぎ直す等して、速やかに、電子線照射処理を再開でき、かくして、被処理物の生産性の著しい低下を抑制できる。
【００２６】
また、長尺被処理物が断絶しても（切れても）、上流側掴持装置が、直ちに、キャプスタンプーリ群へ進入しようとする長尺被処理物部分を掴持することで、キャプスタンプーリ群に巻き掛けられていた長尺被処理物部分が走行を続けることが阻止されるので、キャプスタンプーリ群に巻き掛けられていた被処理物部分がもしそのまま走行を続けたとしたら、被処理物の切断端部の跳ね動作等により電子線照射装置本体が損傷することがあるところ、それが防止される。
【００２７】
掴持装置は、長尺被処理物の断絶によるキャプスタンプーリ群からの外れをより確実に防止するために、キャプスタンプーリ群から出てくる長尺被処理物部分を掴持するための下流側掴持装置も設けてもよい。その場合、前記制御部は、前記検出装置による長尺被処理物の断絶検出に基づいて、該下流側掴持装置が該キャプスタンプーリ群から出てくる長尺被処理物部分を掴持するように、該下流側掴持装置も制御するものとすればよい。
【００２８】
掴持装置としては、例えば、前記長尺被処理物を間にして互いに対向配置された対挟持部材と、該対挟持部材を長尺被処理物を挟持する位置又は長尺被処理物を放す位置におくように該対挟持部材のうち少なくとも一つを駆動する、流体圧駆動ピストンシリンダ装置と、該ピストンシリンダ装置に接続された流体方向制御弁とを含むものを挙げることができる。
【００２９】
この場合、前記制御部は、該方向制御弁を制御することで、該対挟持部を長尺被処理物を挟持する位置又は長尺被処理物を放す位置におくものとすればよい。
【００３０】
かかる対挟持部材やピストンシリンダ装置は、電子部品等と異なり、電子線照射装置において発生する放射線の影響を受けにくいので、それらは電子線照射室内に配置しても構わず、そうすることで、それだけ対挟持部材をキャプスタンプーリ群に近い位置に配置できる。かくして、長尺被処理物の断絶位置がキャプスタンプーリ群に近い場合でも、その断絶位置が、かかる対挟持部材の位置より、長尺被処理物の走行方向において上流側（上流側掴持装置の場合）又は下流側（下流側掴持装置の場合）でありさえすれば、キャプスタンプーリ群から長尺被処理物が外れてしまうことを抑制できる。
【００３１】
＜第２の電子線照射装置について＞
第２の電子線照射装置によると、キャプスタンプーリ群へ進行していく長尺被処理物部分やキャプスタンプーリ群から出てきて進行する長尺被処理物部分が何らかの原因により断絶しても（切れても）、該断絶が断絶検出装置により検出されることで、キャプスタンプーリの制動装置が該キャプスタンプーリを停止させる。
【００３２】
従って、たとえ、キャプスタンプーリのモータ駆動がオフされ、しかし惰性でなおキャプスタンプーリが回ろうとすることがあっても、キャプスタンプーリ群に巻き掛けられていた長尺被処理物部分が、キャプスタンプーリ群から外れてしまうことが抑制される。
【００３３】
このように、長尺被処理物が断絶してもキャプスタンプーリ群に巻き掛けられた被処理物部分はそのままの状態が維持されようとするので、キャプスタンプーリ群への長尺被処理物の巻き掛け直しという手間のかかる作業が不要となり、断絶した長尺被処理物をつなぎ直す等して、速やかに、電子線照射処理を再開でき、かくして、被処理物の生産性の著しい低下を抑制できる。
【００３４】
また、長尺被処理物が断絶しても（切れても）、キャプスタンプーリの制動装置が、直ちに該キャプスタンプーリの回転を停止させることで、キャプスタンプーリ群に巻き掛けられていた長尺被処理物部分が走行を続けることが阻止されるので、キャプスタンプーリ群に巻き掛けられていた被処理物部分がもしそのまま走行を続けたとしたら、被処理物の切断端部の跳ね動作等により電子線照射装置本体が損傷することがあるところ、それが防止される。
【００３５】
キャプスタンプーリの制動装置は、長尺被処理物の断絶によるキャプスタンプーリ群からの外れをより確実に防止するために、キャプスタンプーリ群を構成しているプーリのうち一つに対してだけではなく、複数、より好ましくは全部のプーリに対して設けてもよい。
【００３６】
その場合、前記制御部は、前記検出装置による長尺被処理物の断絶検出に基づいて、それらの制動装置が、対応するキャプスタンプーリの回転を停止させるように、それら制動装置を制御するものとすればよい。
【００３７】
前記制動装置としては、キャプスタンプーリの回転を停止させ得るものであればよいが、例えば、キャプスタンプーリに圧接離反可能に配置された制動部材と、該制動部材を駆動する流体圧駆動ピストンシリンダ装置と、該ピストンシリンダ装置に接続された流体方向制御弁とを含んでいるものを挙げることができる。
この場合、前記制御部は、該方向制御弁を制御することで、前記制動部材を前記キャプスタンプーリへの圧接位置又は該キャプスタンプーリから離反する位置におくものとすればよい。
【００３８】
かかる制動部材やピストンシリンダ装置も、電子部品等と異なり、電子線照射装置おいて発生する放射線の影響を受けにくいので、それらは電子線照射室内に配置しても構わず、そうすることで、それだけ制動部材をキャプスタンプーリ群に近い位置に配置できる。かくして、長尺被処理物の断絶位置がキャプスタンプーリ群に近い場合でも、その断絶位置が、キャプスタンプーリ群の外側にありさえすれば、キャプスタンプーリ群から長尺被処理物が外れてしまうことを抑制できる。
【００３９】
第１、第２のいずれの電子線照射装置の場合でも、前記検出装置は、長尺被処理物の断絶を検出できるのもであればよいが、例えば、前記キャプスタンプーリ群に巻き掛けられて走行する長尺被処理物のテンションを監視し、該テンションが該長尺被処理物の断絶により低下すると、該テンション低下を検出することで該長尺被処理物の断絶を検出するものを挙げることができる。
【００４０】
このほか、例えば、発光素子とこれに対向する受光素子とを含み、それらの間に長尺被処理物を通すようにし、断絶が発生すると受光素子が受光することで断絶を検出する光学的検出装置等も利用できる。
【００４１】
断絶検出装置は、一か所に設けるだけでもよいが、複数箇所に設けてもよい。一か所に設ける場合、キャプスタンプーリ群から出てきて進行する長尺被処理物の部分に対して設けてもよいが、キャプスタンプーリ群へ向け進行していく長尺被処理物の部分で断絶が発生したときに、これをより確実に検出するうえで、キャプスタンプーリ群へ向け進行していく長尺被処理物部分に対して設けることが好ましい。２箇所に設ける場合は、キャプスタンプーリ群へ向け進行していく長尺被処理物部分と、キャプスタンプーリ群から出てきて進行する長尺被処理物の部分とに対して設けることができる。なお、断絶検出装置は、実用上、放射線の影響を無視できるものであれば、電子線照射室内に配置してもよい。
【発明の効果】
【００４２】
以上説明したように、本発明によると、長尺被処理物をキャプスタンプーリ群に巻き掛けて走行させつつ該長尺被処理物に電子線を照射する電子線照射装置であって、キャプスタンプーリ群に巻き掛けられて走行する長尺被処理物が断絶した場合に、なかでも特に該キャプスタンプーリ群へ向け進行していく長尺被処理物部分が断絶した場合には、該キャプスタンプーリ群に巻き掛けられた長尺被処理物部分の走行を直ちに停止させ、該部分がキャプスタンプーリ群から外れたり、また、その外れに伴って被処理物切断端部等が電子線照射装置本体を損傷したりすることを抑制できる電子線照射装置を提供することができる。
【発明を実施するための最良の形態】
【００４３】
以下図面を参照して本発明の実施形態に係る電子線照射装置を説明する。
＜第１実施形態＞
図１は本発明に係る電子線照射装置の１例を示している。図２は図１の装置におけるキャプスタンプーリ群３１、３２に長尺被処理物Ｗを巻き掛けた状態を平面から見て示している。
【００４４】
この電子線照射装置１０は、次に説明する点を除けば、さきに説明した図６、図７に示す装置１００と実質上同じものである。装置１００と実質上同じ部品、部分等には装置１００と同じ参照符号を付してある。
【００４５】
図１に示す電子線照射装置１０は、キャプスタンプーリ３１、３２へ進入しようとする長尺被処理物Ｗに対する掴持装置５ａと、キャプスタンプーリ３１、３２から出てくる長尺被処理物Ｗに対する掴持装置５ｂとを備えている。
【００４６】
掴持装置５ａ、５ｂは実質上同構造のものである。掴持装置５ａ（５ｂ）は、図３にも示すように、いずれも一対の挟持部材５１、５２と、挟持部材５１を駆動する空気圧作動のピストンシリンダ装置５３と、ピストンシリンダ装置５３に配管接続された方向制御弁Ｖ１（Ｖ２）とを含んでいる。
【００４７】
掴持装置５ａ、５ｂそれぞれの一対の挟持部材５１、５２及びピストンシリンダ装置５３は、電子線照射室２内のキャプスタンプーリ群３１、３２に近い位置に配置されている。方向制御弁Ｖ１（Ｖ２）は室外に配置されている。
掴持装置５ａの一対の挟持部材５１、５２は、キャプスタンプーリ３１、３２へ進入しようとする長尺被処理物Ｗがそれらの間を通るように配置されている。掴持装置５ｂの一対の挟持部材５１、５２は、キャプスタンプーリ３１、３２から出てくる長尺被処理物Ｗがそれらの間を通るように配置されている。
【００４８】
掴持装置５ａ、５ｂのいずれにおいても、一方の挟持部材５２は、照射室２内に設置されたフレームＦの顎部と、それに貼着された制動部材Ｒｂからなっている。制動部材Ｒｂは大きい摩擦力を発揮する材料（本例ではゴム材）から形成されている。また、ピストンシリンダ装置５３は前記のフレームＦに支持されており、他方の挟持部材５１はこのピストンシリンダ装置５３のピロトンロッドに支持され、該ロッドが出没することで挟持部材５２に対し接近離反可能ある。
【００４９】
掴持装置５ａ、５ｂのいずれにおいても、ピストンシリンダ装置５３は単動型ピストンシリンダ装置であり、、図３（Ａ）に示すように、圧縮空気圧が作用していないときは、バネ５３ｓによりピストンＰが後退し、それによりピストンロッドも後退して挟持部材５１が挟持部材５２の制動部材Ｒｂから離反し、挟持部材５１と制動部材Ｒｂの間を被処理物Ｗが自由に走行できる。
【００５０】
また、図３（Ｂ）に示すように、圧縮空気圧がピストンＰに作用すると、バネ５３ｓに抗してピストンＰが前進し、それによりピストンロッドが突出して挟持部材５１が挟持部材５２の制動部材Ｒｂへ向かい、挟持部材５１と制動部材Ｒｂの間に被処理物Ｗが挟まれ、掴持される。
【００５１】
方向制御弁Ｖ１、Ｖ２はいずれも３方口電磁弁であり、図３（Ａ）に示すように、ソレノイドに通電されていない場合は、ピストンシリンダ装置５３からの排気を可能とし、それによりピストンＰがバネ５３ｓにて後退することを可能とする。すなわち、ソレノイドが非通電状態のときは、被照射物Ｗは一対の挟持部材５１、５２に掴持されない。
【００５２】
しかし、図３（Ｂ）に示すように、ソレノイドに通電されると、ピストンシリンダ装置５３へ圧縮空気の供給が可能となり、それによりピストンＰがバネ５３ｓに抗して前進する。すなわち、ソレノイドが通電状態のときは、被照射物Ｗが一対の挟持部材５１、５２に掴持される。
【００５３】
図１に示す装置１０は、また、長尺被処理物Ｗの断絶（切れ）を検出する検出装置Ｓ１、Ｓ２及び制御部７も備えている。
検出装置Ｓ１は掴持装置５ａより上流側で被処理物Ｗに対して設置されており、検出装置Ｓ２は掴持装置５ｂより下流側で被処理物Ｗに対して設置されている。
検出装置Ｓ１、Ｓ２は、本例では、テンション検出スイッチである。このスイッチは本体Ｓ１１に揺動可能に支持されたアームＳ１２を有し、該アームは、外力が作用していないときは図示省略のバネにより本体Ｓ１１から突出し、外力により本体Ｓ１１側へ後退せしめられる。アームＳ１２の自由端にはローラＳ１３が回転自在に設けられており、該ローラＳ１３には、被処理物Ｗが嵌まる溝を周設してある。長尺被処理物Ｗが断絶しておらず、正規の張力で張られた状態で走行しているとき、該ローラＳ１３がその溝に被処理物Ｗが嵌まるように該被処理物に当接され、それにより、アームＳ１２が本体Ｓ１１側へ後退するが、被処理物Ｗが断絶すると、被処理物Ｗの張力解除によりアームＳ１２が本体Ｓ１１から突出するように揺動して該断絶を検出する。
【００５４】
検出装置Ｓ１及び（又はＳ２）が被処理物Ｗの断絶を検出すると、その情報が制御部７に入力され、制御部７は断絶検出情報を受けると、直ちに、掴持装置５ａ、５ｂの方向制御弁Ｖ１、Ｖ２のソレノイド通電を指示し、それによりキャプスタンプーリ３１、３２へ進入しようとする被処理物部分を掴持装置５ａの挟持部材５１、５２に挟持させるとともに、キャプスタンプーリ３１、３２から出てくる被処理物部分を掴持装置５ｂの挟持部材５１、５２に挟持させる。制御部７は、また、キャプスタン装置３のモータＭ１、Ｍ２及び電子線照射装置本体１を停止させる。
【００５５】
このように電子線照射装置１０では、掴持装置５ａの挟持部材５１、５２より上流側や、掴持装置５ｂの挟持部材５１、５２より下流側におてい被処理物Ｗが断絶すると、その断絶が検出装置Ｓ１及び（又は）Ｓ２により検出され、直ちに、掴持装置５ａがキャプスタンプーリ３１、３２へ進入しようとする被処理物部分を掴持し、また、掴持装置５ｂがキャプスタンプーリ３１、３２から出てくる被処理物部分を掴持する。
【００５６】
従って、たとえ、キャプスタンプーリ３１、３２のモータＭ１、Ｍ２の駆動がオフされ、しかし惰性でなおキャプスタンプーリ３１、３２が回ろうとすることがあっても、キャプスタンプーリ３１、３２に巻き掛けられていた長尺被処理物部分が、キャプスタンプーリ３１、３２から外れてしまうことは防止される。
【００５７】
このように、長尺被処理物Ｗが断絶してもキャプスタンプーリ３１、３２に巻き掛けられた被処理物部分はそのままの状態が維持されるので、キャプスタンプーリ３１、３２への長尺被処理物Ｗの巻き掛け直しという手間のかかる作業が不要となり、断絶した長尺被処理物Ｗをつなぎ直す等して、速やかに、電子線照射処理を再開でき、かくして、被処理物の生産性の著しい低下を抑制できる。
【００５８】
また、キャプスタンプーリ３１、３２へ向け進行していく長尺被処理物やキャプスタンプーリ３１、３２から出てきて進行する長尺被処理物が断絶しても（切れても）、掴持装置５ａ、５ｂが、直ちに、長尺被処理物Ｗを掴持することで、キャプスタンプーリ３１、３２に巻き掛けられていた長尺被処理物部分が走行を続けることが阻止されるので、キャプスタンプーリ３１、３２に巻き掛けられていた被処理物部分がもしそのまま走行を続けたとしたら、被処理物Ｗの切断端部の跳ね動作等により電子線照射装置本体１が損傷することがあるところ、それが防止される。
【００５９】
＜第２実施形態＞
図４は本発明に係る電子線照射装置の他の例を示している。図５は図４の装置におけるキャプスタンプーリ３１、３２に長尺被処理物Ｗを巻き掛けて平面から見た状態等を示している。なお、図５において、３０はプーリ３１（３２）の表周面に螺旋状に形成された溝であり、被処理物Ｗを嵌めて案内する溝である。
【００６０】
この電子線照射装置１０’は、次に説明する点を除けば、さきに図１から図３を参照して説明した電子線照射装置１０と実質上同じものである。装置１０と実質上同じ部品、部分等には装置１０と同じ参照符号を付してある。
【００６１】
図４に示す電子線照射装置１０’は、図１に示す装置１０における掴持装置に代えてキャプスタンプーリ３１、３２の制動装置８ａ、８ｂを備えている。
制動装置８ａ、８ｂは、その配置位置に相違がある点を除けば、実質上同じものである。
【００６２】
制動装置８ａ、８ｂはいずれも、制動部材Ｂとそれを駆動する空気圧作動のピストンシリンダ装置５３’及び該装置５３’に接続された方向制御弁Ｖ１（Ｖ２）を含んでいる。  制動装置８ａの制動部材Ｂ及びそれを駆動するピストンシリンダ装置５３’は電子線照射室２内に配置されており、制動部材Ｂはプーリ３１に臨んでいる。
制動装置８ｂの制動部材Ｂ及びそれを駆動するピストンシリンダ装置５３’も照射室２内に配置されており、この制動部材Ｂはプーリ３２に臨んでいる。
【００６３】
制動装置８ａ、８ｂのいずれにおいても、制動部材Ｂは、大きい摩擦力を発揮する材料（本例ではゴム）からなるブレーキライニング部材ｂを先端部に有している。
【００６４】
制動装置８ａ、８ｂのいずれにおいても、ピストンシリンダ装置５３’は図１の装置１０の掴持装置におけるピストンシリンダ装置５３と同タイプのものである。また、方向制御弁Ｖ１、Ｖ２も装置１０における掴持装置で使用しているものと同じものである。
方向制御弁のソレノイド通電状態において制動部材Ｂのライニング部材ｂがプーリ３１（３２）に圧接され、ソレノイド非通電状では、ライニング部材ｂがプーリ３１（３２）から離反される。
【００６５】
この電子線照射装置１０’では、検出装置Ｓ１及び（又はＳ２）が被処理物Ｗの断絶を検出すると、その情報が制御部７に入力され、制御部７は断絶検出情報を受けると、直ちに、制動装置８ａ、８ｂの方向制御弁Ｖ１、Ｖ２のソレノイド通電を指示し、それにより制動装置８ａの制動部材Ｂのライニング部材ｂをプーリ３１に圧接させるとともに、制動装置８ｂの制動部材Ｂのライニング部材ｂをプーリ３２に圧接させる。かくしてプーリ３１、３２は直ちに停止される。
制御部７は、また、キャプスタン装置３のモータＭ１、Ｍ２及び電子線照射装置本体１を停止させる。
【００６６】
このように電子線照射装置１０’では、被処理物Ｗが断絶すると、その断絶が検出装置Ｓ１及び（又は）Ｓ２により検出され、直ちに、制動装置８ａ、８ｂがプーリ３１、３２の回転を停止させるので、たとえ、キャプスタンプーリ３１、３２のモータＭ１、Ｍ２の駆動がオフされ、しかし惰性でなおキャプスタンプーリ３１、３２が回ろうとすることがあっても、キャプスタンプーリ３１、３２に巻き掛けられていた長尺被処理物部分が、キャプスタンプーリ３１、３２から外れてしまうことは防止される。
【００６７】
かくして、長尺被処理物Ｗが断絶してもキャプスタンプーリ３１、３２に巻き掛けられた被処理物部分はそのままの状態が維持されるので、キャプスタンプーリ３１、３２への長尺被処理物Ｗの巻き掛け直しという手間のかかる作業が不要となり、断絶した長尺被処理物Ｗをつなぎ直す等して、速やかに、電子線照射処理を再開でき、被処理物の生産性の著しい低下を抑制できる。
【００６８】
また、キャプスタンプーリ３１、３２へ向け進行していく長尺被処理物部分やキャプスタンプーリ３１、３２から出て進行する長尺被処理物部分が断絶しても（切れても）、プーリ３１、３２が制動装置８ａ、８ｂにより停止されるので、キャプスタンプーリ３１、３２に巻き掛けられていた被処理物部分がもしそのまま走行を続けたとしたら、被処理物Ｗの切断端部の跳ね動作等により電子線照射装置本体１が損傷することがあるところ、それが防止される。
【産業上の利用可能性】
【００６９】
本発明は、合成樹脂等で被覆した電線のような長尺被処理物をキャプスタンプーリ群に巻き掛けて走行させつつ該長尺被処理物に電子線を照射することに利用できる。
【図面の簡単な説明】
【００７０】
【図１】本発明に係る電子線照射装置の１例の構成を概略的に示す図である。
【図２】図１の電子線照射装置におけるキャプスタンプーリへの長尺被処理物の巻き掛け状態を平面から見て示す図である。
【図３】図１の電子線照射装置における掴持装置を説明する図であり、図３（Ａ）は被処理物を放している様子を、図３（Ｂ）は被処理物を掴持している様子を示している。
【図４】本発明に係る電子線照射装置の他の例の構成を概略的に示す図である。
【図５】図４の電子線照射装置におけるキャプスタンプーリへの長尺被処理物の巻き掛け状態を平面から見た状態等を示す図である。
【図６】従来例を示す図である。
【図７】図６の従来例における、キャプスタンプーリへの長尺被処理物の巻き掛け状態を平面から見て示す図である。
【符号の説明】
【００７１】
１０、１０’、１００  電子線照射装置
Ｗ  長尺被処理物
１  電子線照射装置本体
１１  電子線照射窓
２  電子線照射室
２１  長尺被処理物を通す照射室開口
３  キャプスタン装置
３１、３２  キャプスタンプーリ
３０  プーリ表周面の溝
３１１、３２１  伝動装置
３１２、３２２  一方向クラッチ
Ｍ１、Ｍ２  モータ
５ａ、５ｂ  掴持装置
５１、５２  掴持装置の一対の挟持部材
Ｒｂ  制動部材
５３、５３’  ピストンシリンダ装置
５３ｓ  バネ
Ｐ  ピストン
Ｖ１、Ｖ２  方向制御弁
Ｓ１、Ｓ２  検出装置
７  制御部
Ｓ１１  スイッチ本体
Ｓ１２  アーム
Ｓ１３  ローラ
８ａ、８ｂ  制動装置
Ｂ  制動部材
ｂ  ライニング部材
【図１】
2006179434.tif 000003
【図２】
2006179434.tif 000004
【図３】
2006179434.tif 000005
【図４】
2006179434.tif 000006
【図５】
2006179434.tif 000007
【図６】
2006179434.tif 000008
【図７】
2006179434.tif 000009